【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
フィルムソースの各コマの画像データをそれぞれ２回以上プルダウンすることによって生成された第１のフレームレートの画像データを受信し、該第１のフレームレートのｎ倍（ｎは２以上の整数）の第２のフレームレートの画像データを出力する画像処理回路であって、
前記フィルムソースの各コマの画像データを記憶するフレームメモリと、
前記フィルムソースの隣り合うコマの画像間の動きベクトルを検出する動きベクトル検出部と、
前記動きベクトル検出部が検出した動きベクトルに基づいて前記フィルムソースの隣り合うコマの画像間を補間した補間画像を生成し、前記フレームメモリに記憶する補間画像生成部と、
前記フレームメモリから、前記フィルムソースの各コマの画像のみ、もしくは、該各コマの画像に加えて前記補間画像を、前記第２のフレームレートで読み出して出力する出力部とを有し、
前記動きベクトル検出部が、同一の隣り合うコマの画像間の動きベクトルの検出を、互いに異なる条件で、２回、それぞれ前記第１のフレームレートの異なるフレームの期間に行うことを特徴とする画像処理回路。
【請求項２】
前記補間画像生成部が、前記動きベクトル検出部による前記２回の検出のうちの、１回目に検出した動きベクトルに基づいて前記補間画像を生成し、
前記動きベクトル検出部が、前記２回の検出のうちの２回目に検出した動きベクトルを前記フレームメモリに記憶し、次の隣り合うコマ間の１回目の動きベクトル検出を行うための条件の設定を、該記憶した２回目に検出した動きベクトルに基づいて行うことを特徴とする請求項１記載の画像処理回路。
【請求項３】
前記動きベクトル検出部が検出した動きベクトルに基づいて、ジャダーが発生するか否かを判断するジャダー判断部をさらに有し、
前記ジャダー判断部がジャダーが発生しないと判断したときには、前記出力部が、前記フィルムソースの各コマの画像のみを前記第２のフレームレートで読み出して出力し、
前記ジャダー判断部がジャダーが発生すると判断したときには、前記出力部が、前記フィルムソースの各コマの画像および前記補間画像を前記第２のフレームレートで読み出して出力することを特徴とする請求項１または２記載の画像処理回路。
【請求項４】
前記各コマの画像データをプルダウンすることによって生成された画像データに加えて、前記第１のフレームレートでフレーム毎に異なる第２の画像データを受信し、
前記第２の画像データを受信したときには、前記動きベクトル検出部が、前記第１のフレームレートで、１フレーム毎に１回のみ動きベクトルの検出を行うことを特徴とする請求項１ないし３のいずれかに記載の画像処理回路。
【請求項５】
第１のフレームレートの画像データを受信し、前記受信した画像データを記憶するフレームメモリと、前記受信した画像データの隣り合うフレームの画像間の動きベクトルを検出する動きベクトル検出部と、前記動きベクトル検出部が検出した動きベクトルに基づいて前記隣り合うフレームの画像間を補間した補間画像を生成し、前記フレームメモリに記憶する補間画像生成部と、前記フレームメモリから、前記隣り合うフレームの画像および前記補間画像を、前記第１のフレームレートのｎ倍（ｎは２以上の整数）の第２のフレームレートで読み出して出力する出力部とを有する画像処理回路を用いて、
フィルムソースの各コマの画像データをそれぞれ２回以上プルダウンすることによって生成された前記第１のフレームレートの画像データを受信し、前記第２のフレームレートの画像データを出力する画像処理方法であって、
前記動きベクトル検出部が、前記フィルムソースの隣り合うコマの画像間の動きベクトルの検出を、互いに異なる条件で、２回、それぞれ前記第１のフレームレートの異なるフレームの期間に行い、
前記出力部が、前記フレームメモリから、前記フィルムソースの各コマの画像のみ、もしくは、該各コマの画像に加えて前記補間画像を、前記第２のフレームレートで読み出して出力することを特徴とする画像処理方法。
【請求項６】
前記補間画像生成部が、前記動きベクトル検出部による前記２回の検出のうちの、１回目に検出した動きベクトルに基づいて前記補間画像を生成し、
前記動きベクトル検出部が、前記２回の検出のうちの２回目に検出した動きベクトルを前記フレームメモリに記憶し、次の隣り合うコマ間の１回目の動きベクトル検出を行うための条件の設定を、該記憶した２回目に検出した動きベクトルに基づいて行うことを特徴とする請求項５記載の画像処理方法。
【請求項７】
前記画像処理回路が、前記動きベクトル検出部が検出した動きベクトルに基づいて、ジャダーが発生するか否かを判断するジャダー判断部をさらに有し、
前記ジャダー判断部がジャダーが発生しないと判断したときには、前記出力部が、前記フィルムソースの各コマの画像のみを前記第２のフレームレートで読み出して出力し、
前記ジャダー判断部がジャダーが発生すると判断したときには、前記出力部が、前記フィルムソースの各コマの画像および前記補間画像を前記第２のフレームレートで読み出して出力することを特徴とする請求項５または６記載の画像処理方法。
【請求項８】
前記各コマの画像データをプルダウンすることによって生成された画像データに加えて、前記第１のフレームレートでフレーム毎に異なる第２の画像データを受信したときには、前記動きベクトル検出部が、前記第１のフレームレートで、１フレーム毎に１回のみ動きベクトルの検出を行うことを特徴とする請求項５ないし７のいずれかに記載の画像処理方法。
【手続補正２】
【補正対象書類名】明細書
【補正対象項目名】００１８
【補正方法】変更
【補正の内容】
【００１８】
また、前記動きベクトル検出部が検出した動きベクトルに基づいて、ジャダーが発生するか否かを判断するジャダー判断部をさらに有し、前記ジャダー判断部がジャダーが発生しないと判断したときには、前記出力部が、前記フィルムソースの各コマの画像のみを前記第２のフレームレートで読み出して出力し、前記ジャダー判断部がジャダーが発生すると判断したときには、前記出力部が、前記フィルムソースの各コマの画像および前記補間画像を前記第２のフレームレートで読み出して出力するのが好ましい。
また、前記各コマの画像データをプルダウンすることによって生成された画像データに加えて、前記第１のフレームレートでフレーム毎に異なる第２の画像データを受信し、
前記第２の画像データを受信したときには、前記動きベクトル検出部が、前記第１のフレームレートで、１フレーム毎に１回のみ動きベクトルの検出を行うことが好ましい。
【手続補正３】
【補正対象書類名】明細書
【補正対象項目名】００２１
【補正方法】変更
【補正の内容】
【００２１】
また、前記画像処理回路が、前記動きベクトル検出部が検出した動きベクトルに基づいて、ジャダーが発生するか否かを判断するジャダー判断部をさらに有し、前記ジャダー判断部がジャダーが発生しないと判断したときには、前記出力部が、前記フィルムソースの各コマの画像のみを前記第２のフレームレートで読み出して出力し、前記ジャダー判断部がジャダーが発生すると判断したときには、前記出力部が、前記フィルムソースの各コマの画像および前記補間画像を前記第２のフレームレートで読み出して出力するのが好ましい。
また、前記各コマの画像データをプルダウンすることによって生成された画像データに加えて、前記第１のフレームレートでフレーム毎に異なる第２の画像データを受信したときには、前記動きベクトル検出部が、前記第１のフレームレートで、１フレーム毎に１回のみ動きベクトルの検出を行うことが好ましい。